(57)【要約】      （修正有）【課題】大気圏外に於いては使用でき、莫大なエネルギーを使い捨てず、甚だしい騒音のない揚力発生装置を提供する。【解決手段】ローター６の周囲に仕切板１２を放射状に配置し、ローターの上半分に内側から圧力をかけて液体を注入する。ローターの回転によって液体は回転させられて遠心力が発生し外側に飛び出そうとするが、上側だけ天蓋５を設けて液体を封じ込めると遠心力はこの天蓋にかかる。ローターの下側は蓋は外され液体は排出される。必要なエネルギーはローターを回すモーターと圧力ポンプのモーターの使用電力である。ローターの半径と回転数、回転する液体量により揚力の大きさを決めることが出来る。【選択図】図２
2014234816.tif 000002
【特許請求の範囲】
【請求項１】
液体を回転させる為周囲に仕切を放射状に設けたローターの構造とローターの上側位置のセルに液体を供給する液体供給部の構造とこれらの間隙がミニマムギャップの位置関係であること。ローターとローター外カバーとの構造と、これらの間隙がミニマムギャップの位置関係であること。ローターの液体注入開始セルの位置及びローターの液体排出セルの位置関係。ローターとサイドカバー、サイドカバーとローター外カバーの構造とその位置関係。及びそれらの間隙がミニマムギャップであること。排出された液体は液体排出口から液体タンクに送り込まれ、圧力ポンプで液体注入ホース、液体取入部、液体供給部を経由してローターに送られる構造。バランスを取る目的と倍する揚力を得るための逆回転ローターユニットをギアユニットで繋ぎ抱合せる構造。ローターの回転に合わせて液体の供給量を追従させる圧力ポンプモーターとロータードライブモータの同期運転機構。
【発明の詳細な説明】
【技術分野】
【０００１】  本発明は、垂直方向だけの遠心力を活用する揚力発生装置である。
【背景技術】
【０００２】  航空機は高度な技術に支えられている今世紀最大の発明である。しかしながら大量のエネルギーを消耗する。これは、ロケットも、ジェットも、プロペラエンジンもエネルギーの消耗に関しては同じである。しかし大気圏外で有効なものは、ロケットエンジンに限られる。ロケットはその燃料もだが、ブースターを切り離し捨ててしまう不経済極まりないものである。然も引力圏を脱する初速を得る為だけのエンジンと云えよう。他方内燃機関エンジンはどのような種類のものであっても騒音問題は常に付きまとうし、その高出力のためエンジン事故が発生した場合危険極まりない。
大気圏内外を問わず、エネルギーを使わず、騒音のない、増速、減速が自由に出来る揚力発生装置は現在存在しない。遠心力は円の中心を軸にして、全方向に働くものであり、一方向だけを取り出せるものだとは考えにくいからだと思われるが、遠心力を利用した揚力発生装置は見落とされてきた。
【先行技術文献】
【特許文献】
【０００３】
【特許文献１】特開２００９−１９７７７５号
【発明の概要】
【発明が解決しようとする課題】
【０００４】  １リッターの液体の入ったバケツを１ｍの半径で、１０００ＲＰＭで回転させると
（遠心力）ＲＣＦ＝１１１８×ｒ×Ｎ＾２×１０＾−８（ｘｇ）の計算式から、その遠心力は１．１１８トンが算出されます。
理論を発展させて、半径１ｍのローターの周囲に１リットルの液体の入るバケツを配置します。バケツは１００ｃｍ□の底面×１００ｃｍの深さで考えると半径１メートルの円周は６ｍ強ですから６０個になります。
バケツの底はローターの下半分では取り外され、上半分では取付けられるようにします。
この条件で、ローターを１０００ＲＰＭで回します。同時に上半分のバケツに液体を供給し続けます。従って上半分のバケツには絶えず液体が入っていますが、下半分のバケツは空状態が維持され回転し続けます。この時上方への遠心力はバケツ３０個分発生しますが、垂直成分（揚力）は３０個のバケツのうちの略２０個分になります。
１．１１８トン×２０個＝２２．３６トン
もし、バケツの容量を２倍の２リットルにすれば、約４５トンの揚力になります。
更にローターの回転数を倍の２０００ＲＰＭに出来れば、４倍の１８０トンもの揚力になります。一方向の回転だけではバランスが悪いので、逆回転のローターを抱き合せると、バランスがよくなり、同時に垂直方向の遠心力は更に２倍の３６０トンになります。
これはエアバスを持ち上げられるに十分な揚力です。（エアバスのエンジン重量は２００ｔ、翼、離着陸の衝撃に耐える車輪重量などマイナスするとボデー重量と人間１０００人の総重量を合わせても、１５０ｔ以下）
【課題を解決するための手段】
【０００５】  以上のバケツ方式を簡単にするために、２枚の円盤の間に、１００ｃｍ□の仕切板を１００ｃｍ間隔で放射状に一周配置します。一つ一つの仕切板の間（ポケット部分）をセルと呼ぶことにします。ローターの上側半分は液体が外側に飛び出さないようにカバーをします。ローターの下側半分はカバーしません。上半分のローターとカバーとの間はミニマムギャップに密接することで液体は漏れず、ローターとカバーとの摩擦がないようにします。
ローターの上側半分のセルに液体を供給する方法はセルの内径側から圧力ポンプによって行います。其々のセルがローターの下半分の位置から上側に来た位置から供給を受け、一気に満水状態になるよう圧力がかけられます。満水になった各セルは排液される下半分の位置来るまでは供給圧力がかけられたままになる構造にします。
【発明の効果】
【０００６】  本発明は内燃機関ではないため無音であり、燃料を使わない。小型であるが大きく安定した揚力を得られる。大気圏内外とも有効である。本装置の生産コストは非常に低く、短期間に製造出来、翼、エンジン、強力な車輪装置など不要なので飛行体の生産コストや輸送コストが大幅に下がる。滑走路不要。因って離着陸の場所が限定されず、必要な現場に離着陸できる。大きな輸送量が確保できる。又、宇宙への飛行も自由であり、往復が容易である。通常は避難設備として広いスペースの機体を人口に応じて必要数配置し、避難場所とし、津波が来たら浮揚し避難するという使い方もできる。原発事故によって発生した汚染土壌、汚染水、核燃料棒などをピストンリレー式に太陽に投棄する可能性も否定できない。経済効果は計り知れない。などなど数え上げればきりがない。元の東北地方に一日も早く戻ることが可能である。その為にも早い対策が必要である。その他にもあらゆる分野で有用である。
【図面の簡単な説明】
【０００７】
【図１】  本発明の構造図
【図２】  図１におけるＢ−Ｂ線断面図
【図３】  図１におけるＡ−Ａ線断面図
【図４】  展開図
【図５】  完成予想図
【発明を実施するための形態】
【０００８】以下、本発明の形態を図１〜図５に基づいて説明する。
【０００９】図１は本発明の主要部を三角法で描いた図である。但し、ローターの半径は３０ｃｍで設計したものである。
【００１０】  図２は図１のＢ−Ｂ線断面図である。ローター部を表しており、ローターの周囲には仕切り板１２が配置されてある。（この図では仕切り板は１８枚配置されている）
この仕切り板１２で仕切られた其々のセルの内径側には液体供給部３があり、ローター６の上半分のセルに液体が圧力ポンプで送られてきて供給される構造になっている。ローターの上半分はローター外カバー５が密接しており、液体は外側には逃げられない。ローターの下半分はカバーされない構造になっていて液体は排出され、セルは空になる。
セルの位置が液体注入開始セル９の少し手前の位置で液は高圧で一気に注入され、液体排出セル部８の位置で排出されるまで加圧されたままになる。この間で遠心力は外カバー５にかかることになる。液体排出セル８の位置で外カバーが外れた瞬間から液体は厚みの薄い水流となって噴出し始める為外カバーに対する遠心力は殆どないため下方向成分の遠心力はゼロと考えることができる。各セルの内側と液体供給部３との間、及び各セルと外側のローター外カバー５との間は液体が逃げないミニマムギャップとし、然も尚摩擦も起きないような構造にする。液体は液体排出口１０から排出され液体タンク１６（図４）に収められ、圧力ポンプ１４（図４）で液体供給部３に送られ循環される構造である。
【００１１】  図３は図１のＡ−Ａ線断面図である。ローター部４と液体供給部３及び液体取入れ部２などの組み合わせを縦割りした断面図である。ローター６はロータードライブシャフト１に結合されており、ロータードライブモーター１３（図４）で回転させられる。ローター６の外側はローター外カバー５がミニマムギャップで覆っており、仕切板１２の内径側にはミニマムギャップで液体供給部３が嵌まり込んでいて上方に供給口を開けている。又液体供給部３は液体取入部２に嵌まり込んでいて液体圧力ポンプ１４（図４）から液体注入ホース１１を経て入ってきた液体を受け取る。サイドカバー７とローター６間も最小のギャップを取る構造である。
【００１２】  図４は構造を更に分かりやすくするために立体図とし展開させたものである。
一連の液体の流れは、液体タンク１６内の液体が圧力ポンプ１４により吸い上げられ液体取入部２を経て、液体供給部３に供給される。更に液体供給部３はローター６の内側に嵌まり込んでいて、ローター６の上方向のセルに液体を供給する。ローターの下側の位置ではセル内の液体は液体タンクに排出され、又元に戻る。
【００１３】  図５は完成予想図である。図４までの理論を更に発展させ、バランスのいいものにするために、逆回転のローターユニットを抱き合わせた構造になっている。逆回転ローターを抱き合わせるためにローターユニット間にギアユニットを置き逆回転を与える簡単な構造となっている。これで垂直方向遠心力（揚力）は２倍になり、バランスの良い揚力発生装置になる。構造が解るように一部カバーを断面化した。
【符号の説明】
【００１４】１    ロータードライブシャフト
２    液体取入部
３    液体供給部
４    ローター部
５    ローター外カバー
６    ローター
７    サイドカバー
８    液体排出セル部
９    液体注入開始セル
１０  液体排出口
１１  液体注入ホース
１２  仕切板
１３  ロータードライブモーター
１４  圧力ポンプ
１５  液体タンク
【図１】
2014234816.tif 000003
【図２】
2014234816.tif 000004
【図３】
2014234816.tif 000005
【図４】
2014234816.tif 000006
【図５】
2014234816.tif 000007